【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
ａ）  ウェブサイトの複数のウェブページのうち１つのウェブページにアクセスするステップと、
ｂ）  ウェブページに対してユーザが実現可能な動作の組を判定するステップと、
ｃ）  ウェブページにリンクされる次のページの組を判定するステップと、
ｄ）  ユーザのアイデンティティに従って、ユーザが実現可能な動作の組またはウェブページにリンクされる次のページの組を変更する規則の組を規定するステップと、
ｅ）  ウェブページのユーザフローを追跡するために、ウェブページのためのテーブルデータ構造内に動作の組、次のページの組および規則の組を記憶するステップとを含む、方法。
【請求項２】
前記方法は、ウェブサイトのハイパーリンクの効率的な更新を可能にするために、ウェブサイトのウェブページのユーザフローを追跡する方法を含む、請求項１に記載の方法。
【請求項３】
コンピュータ可読命令を実行するためのプロセッサを有するコンピュータシステムを含む装置であって、命令は、実行されたときに、
ａ）  ウェブサイトの複数のウェブページのうち１つのウェブページにアクセスするステップと、
ｂ）  ウェブページに対してユーザが実現可能な動作の組を判定するステップと、
ｃ）  ウェブページにリンクされる次のページの組を判定するステップと、
ｄ）  ユーザのアイデンティティに従って、ユーザが実現可能な動作の組またはウェブページにリンクされる次のページの組を変更する規則の組を規定するステップと、
ｅ）  ウェブページのユーザフローを追跡するために、ウェブページのためのテーブルデータ構造内に動作の組、次のページの組および規則の組を記憶するステップと、を含む方法をコンピュータシステムに実現させる、装置。
【請求項４】
前記装置は、ウェブサイトのハイパーリンクの効率的な更新を可能にするために、ウェブサイトのウェブページのユーザフローを追跡する装置である、請求項３に記載の装置。
【請求項５】
方法を実現するためのコンピュータ可読命令を有するコンピュータ可読媒体であって、
命令は、コンピュータシステムのプロセッサによって実行されたときに、
ａ）  ウェブサイトの複数のウェブページのうち１つのウェブページにアクセスするステップと、
ｂ）  ウェブページに対してユーザが実現可能な動作の組を判定するステップと、
ｃ）  ウェブページにリンクされる次のページの組を判定するステップと、
ｄ）  ユーザのアイデンティティに従って、ユーザが実現可能な動作の組またはウェブページにリンクされる次のページの組を変更する規則の組を規定するステップと、
ｅ）  ウェブページのユーザフローを追跡するために、ウェブページのためのテーブルデータ構造内に動作の組、次のページの組および規則の組を記憶するステップと、をコンピュータシステムに実現させる、コンピュータ可読媒体。
【請求項６】
前記方法は、ウェブサイトのハイパーリンクの効率的な更新を可能にするために、ウェブサイトのウェブページのユーザフローを追跡するものである、請求項５に記載のコンピュータ可読媒体。
【請求項７】
ウェブページのためのテーブルデータ構造内の対応する規則の組を変更することによってウェブページのユーザフローを変更するステップをさらに含む、請求項１もしくは２に記載の方法、請求項３もしくは４に記載の装置、または請求項５もしくは６に記載のコンピュータ可読媒体。
【請求項８】
ウェブページのためのテーブルデータ構造内のユーザが実現可能な動作の組を変更することによってウェブページのユーザフローを変更するステップをさらに含む、請求項１もしくは２に記載の方法、請求項３もしくは４に記載の装置、または請求項５もしくは６に記載のコンピュータ可読媒体。
【請求項９】
ウェブページのためのテーブルデータ構造内のウェブページにリンクされる次のページの組を変更することによってウェブページのユーザフローを変更するステップをさらに含む、請求項１もしくは２に記載の方法、請求項３もしくは４に記載の装置、または請求項５もしくは６に記載のコンピュータ可読媒体。
【請求項１０】
特定的なユーザのための次のウェブページの特定的な組をリンクするために、ウェブページのための規則の組を規定するステップをさらに含み、特定的なユーザはアイデンティティによって判定される、請求項１もしくは２に記載の方法、請求項３もしくは４に記載の装置、または請求項５もしくは６に記載のコンピュータ可読媒体。
【請求項１１】
テーブルデータ構造の表示を提示するグラフィカルユーザインターフェイスを用いて、ウェブページのユーザフローを管理するステップをさらに含む、請求項１０に記載の方法、装置またはコンピュータ可読媒体。
【請求項１２】
ウェブサイトの複数のウェブページの各々について、複数のテーブルデータ構造を生成するステップと、
ウェブサイトのユーザフローを追跡するために、テーブルデータ構造をマトリックスで記憶するステップとをさらに含む、請求項１もしくは２に記載の方法、請求項３もしくは４に記載の装置、または請求項５もしくは６に記載のコンピュータ可読媒体。
【請求項１３】
テーブルデータ構造のマトリックスを変更することによってウェブサイトのユーザフローを変更するステップをさらに含む、請求項１２に記載の方法、装置またはコンピュータ可読媒体。
【請求項１４】
テーブルデータ構造のマトリックスの表示を提示するグラフィカルユーザインターフェ
イスを用いて、ウェブサイトのユーザフローを管理するステップをさらに含む、請求項１２に記載の方法、装置またはコンピュータ可読媒体。
【請求項１５】
ウェブサイトのハイパーリンクの効率的な更新を可能にするために、ウェブサイトのウェブページのユーザフローを追跡する方法であって、
ａ）  ウェブサイトの複数のウェブページのうち１つのウェブページにアクセスするステップと、
ｂ）  ウェブページに対してユーザが実現可能な動作の組を判定するステップと、
ｃ）  ウェブページにリンクされる次のページの組を判定するステップと、
ｄ）  ユーザのアイデンティティに従って、ユーザが実現可能な動作の組またはウェブページにリンクされる次のページの組を変更する規則の組を規定するステップと、
ｅ）  ウェブページのユーザフローを追跡するために、ウェブページのためのテーブルデータ構造内に動作の組、次のページの組および規則の組を記憶するステップと、を含む方法。
【請求項１６】
ウェブページのためのテーブルデータ構造内の対応する規則の組を変更することによってウェブページのユーザフローを変更するステップをさらに含む、請求項１５に記載の方法。
【請求項１７】
ウェブページのためのテーブルデータ構造内のユーザが実現可能な動作の組を変更することによってウェブページのユーザフローを変更するステップをさらに含む、請求項１５に記載の方法。
【請求項１８】
ウェブページのためのテーブルデータ構造内のウェブページにリンクされる次のページの組を変更することによってウェブページのユーザフローを変更するステップをさらに含む、請求項１５に記載の方法。
【請求項１９】
特定的なユーザのための次のウェブページの特定的な組をリンクするために、ウェブページのための規則の組を規定するステップをさらに含み、特定的なユーザはアイデンティティによって判定される、請求項１５に記載の方法。
【請求項２０】
テーブルデータ構造の表示を提示するグラフィカルユーザインターフェイスを用いて、ウェブページのユーザフローを管理するステップをさらに含む、請求項１５に記載の方法。
【請求項２１】
ウェブサイトの複数のウェブページの各々について、複数のテーブルデータ構造を生成するステップと、
ウェブサイトのユーザフローを追跡するために、テーブルデータ構造をマトリックスで記憶するステップとをさらに含む、請求項１５に記載の方法。
【請求項２２】
テーブルデータ構造のマトリックスを変更することによってウェブサイトのユーザフローを変更するステップをさらに含む、請求項２１に記載の方法。
【請求項２３】
テーブルデータ構造のマトリックスの表示を提示するグラフィカルユーザインターフェイスを用いて、ウェブサイトのユーザフローを管理するステップをさらに含む、請求項２１に記載の方法。
【請求項２４】
ウェブサイトのハイパーリンクの効率的な更新を可能にするために、ウェブサイトのウェブページのユーザフローを追跡する装置であって、装置は、コンピュータ可読命令を実行するためのプロセッサを有するコンピュータシステムを含み、命令は、実行されたとき
に、
ａ）  ウェブサイトの複数のウェブページのうち１つのウェブページにアクセスするステップと、
ｂ）  ウェブページに対してユーザが実現可能な動作の組を判定するステップと、
ｃ）  ウェブページにリンクされる次のページの組を判定するステップと、
ｄ）  ユーザのアイデンティティに従って、ユーザが実現可能な動作の組またはウェブページにリンクされる次のページの組を変更する規則の組を規定するステップと、
ｅ）  ウェブページのユーザフローを追跡するために、ウェブページのためのテーブルデータ構造内に動作の組、次のページの組および規則の組を記憶するステップと、を含む方法をコンピュータシステムに実現させる、装置。
【請求項２５】
ウェブページのためのテーブルデータ構造内の対応する規則の組を変更することによってウェブページのユーザフローを変更するステップをさらに含む、請求項２４に記載の装置。
【請求項２６】
ウェブページのためのテーブルデータ構造内のユーザが実現可能な動作の組を変更することによってウェブページのユーザフローを変更するステップをさらに含む、請求項２４に記載の装置。
【請求項２７】
ウェブページのためのテーブルデータ構造内のウェブページにリンクされる次のページの組を変更することによってウェブページのユーザフローを変更するステップをさらに含む、請求項２４に記載の装置。
【請求項２８】
特定的なユーザのための次のウェブページの特定的な組をリンクするために、ウェブページのための規則の組を規定するステップをさらに含み、特定的なユーザはアイデンティティによって判定される、請求項２４に記載の装置。
【請求項２９】
テーブルデータ構造の表示を提示するグラフィカルユーザインターフェイスを用いて、ウェブページのユーザフローを管理するステップをさらに含む、請求項２４に記載の装置。
【請求項３０】
ウェブサイトの複数のウェブページの各々について、複数のテーブルデータ構造を生成するステップと、
ウェブサイトのユーザフローを追跡するために、テーブルデータ構造をマトリックスで記憶するステップとをさらに含む、請求項２４に記載の装置。
【請求項３１】
テーブルデータ構造のマトリックスを変更することによってウェブサイトのユーザフローを変更するステップをさらに含む、請求項３０に記載の装置。
【請求項３２】
テーブルデータ構造のマトリックスの表示を提示するグラフィカルユーザインターフェイスを用いて、ウェブサイトのユーザフローを管理するステップをさらに含む、請求項３０に記載の装置。
【請求項３３】
ウェブサイトのハイパーリンクの効率的な更新を可能にするために、ウェブサイトのウェブページのユーザフローを追跡する方法を実現するための、コンピュータ可読命令を有するためのコンピュータ可読媒体であって、命令は、コンピュータシステムのプロセッサによって実行されたときに、
ａ）  ウェブサイトの複数のウェブページのうち１つのウェブページにアクセスするステップと、
ｂ）  ウェブページに対してユーザが実現可能な動作の組を判定するステップと、
ｃ）  ウェブページにリンクされる次のページの組を判定するステップと、
ｄ）  ユーザのアイデンティティに従って、ユーザが実現可能な動作の組またはウェブページにリンクされる次のページの組を変更する規則の組を規定するステップと、
ｅ）  ウェブページのユーザフローを追跡するために、ウェブページのためのテーブルデータ構造内に動作の組、次のページの組および規則の組を記憶するステップと、をコンピュータシステムに実現させる、コンピュータ可読媒体。
【請求項３４】
ウェブページのためのテーブルデータ構造内の対応する規則の組を変更することによってウェブページのユーザフローを変更するステップをさらに含む、請求項３３に記載のコンピュータ可読媒体。
【請求項３５】
ウェブページのためのテーブルデータ構造内のユーザが実現可能な動作の組を変更することによってウェブページのユーザフローを変更するステップをさらに含む、請求項３３に記載のコンピュータ可読媒体。
【請求項３６】
ウェブページのためのテーブルデータ構造内のウェブページにリンクされる次のページの組を変更することによってウェブページのユーザフローを変更するステップをさらに含む、請求項３３に記載のコンピュータ可読媒体。
【請求項３７】
特定的なユーザのための次のウェブページの特定的な組をリンクするために、ウェブページのための規則の組を規定するステップをさらに含み、特定的なユーザはアイデンティティによって判定される、請求項３３に記載のコンピュータ可読媒体。
【請求項３８】
テーブルデータ構造の表示を提示するグラフィカルユーザインターフェイスを用いて、ウェブページのユーザフローを管理するステップをさらに含む、請求項３３に記載のコンピュータ可読媒体。
【請求項３９】
ウェブサイトの複数のウェブページの各々について、複数のテーブルデータ構造を生成するステップと、
ウェブサイトのユーザフローを追跡するために、テーブルデータ構造をマトリックスで記憶するステップとをさらに含む、請求項３３に記載のコンピュータ可読媒体。
【請求項４０】
テーブルデータ構造のマトリックスを変更することによってウェブサイトのユーザフローを変更するステップをさらに含む、請求項３９に記載のコンピュータ可読媒体。
【請求項４１】
テーブルデータ構造のマトリックスの表示を提示するグラフィカルユーザインターフェイスを用いて、ウェブサイトのユーザフローを管理するステップをさらに含む、請求項４０に記載のコンピュータ可読媒体。